(57)【要約】【課題】  ギターに用いられる一般的な部品をボディに利用することで、複雑な機構を有さない安価な折りたたみギターを提供する。【解決手段】  ネック２とボディ３がヒンジ５を介して折りたたみ自在に接続されている折りたたみギターにおいて、ヘッド１がネック２から着脱自在であり、ボディ３が弦の弛張を調整できるビブラートユニット３３及びネック２から分離したヘッド１を収納するヘッド収納部を有している。これにより、ボディ３に設けられたビブラートユニット３３をアームダウンさせることにより、弦４を緩めることができ、ヘッド１をネック２から容易に分離させることができる。また、ネック２から取り外したヘッド１は、ボディ３に設けたヘッド収納部に弦４を接続したまま容易に収納でき、ボディ３と一体となる。更に、ヘッド１が取り外されたネック２とヘッド１が収納されたボディ３とを折りたたむことにより、全体のサイズを小さくすることができる。【選択図】図１
0003174638.tif 000002
【実用新案登録請求の範囲】
【請求項１】
ヘッド、ネック、ボディおよび前記ヘッドと前記ボディの間に張られた弦とを備え、
前記ネックと前記ボディがヒンジを介して折りたたみ自在に接続されている折りたたみギターにおいて、
前記ヘッドは、前記ネックから着脱自在であり、
前記ボディは、前記弦の弛張を調整できるビブラートユニット及び、前記ネックから分離した前記ヘッドを収納するヘッド収納部を備えることを特徴とする折りたたみギター。
【請求項２】
請求項１に記載の折りたたみギターにおいて、
前記ヘッドは、
矩形型の基部、並びに該基部の長手方向端において対向する短壁および前記ネックの端部に設けられた受部材と嵌合的に接続される長壁を有する断面略ユ字型のヘッド基部と、
前記短壁に前記基部の短手方向に沿って等間隔に配設された複数個の貫通穴Ａを挿通する調整ボルトと、
前記貫通穴Ａのそれぞれと等間隔を隔て、前記短壁の前記基部側に設けられた複数個の貫通穴Ｂを挿通し、前記貫通穴Ｂに対向する前記長壁に配設されたネジ穴Ｂに螺合するガイドボルトと、
矩形体から成り、該矩形体の長手方向に沿って、前記調整ボルトと螺合するネジ穴Ａと、前記ガイドボルトが挿通する貫通穴Ｃとが配設され、前記矩形体の長手方向の反基部面側に設けられた弦固定部とを備える弦調整コマと、
前記調整ボルトが挿通し、前記短壁と前記弦調整コマの間に存し、前記弦調整コマを前記長壁側へと押圧する押圧バネと、
を備えることを特徴とする折りたたみギター。
【請求項３】
請求項１または請求項２に記載の折りたたみギターにおいて、
前記ヘッドは、前記弦を支持するナットを備え、
前記ネックは、追加ネックを継ぎ足すことで長さを延長することができることを特徴とする折りたたみギター。
【考案の詳細な説明】
【技術分野】
【０００１】
この考案は、ネックとボディがヒンジを介して接続されている折りたたみギターに関するものであり、特に、ボディにビブラートユニットを設けた折りたたみギターに関するものである。
【背景技術】
【０００２】
従来より、ギターを運搬や収納に利するように、ネックとボディを折りたためるようにしたギターや、ネックをボディから着脱可能としたギターが提案されている。しかし、ネックをボディから着脱可能としたギターは、弦の接続されたネックが嵩張り、処理が困難となることが多いため、ネックとボディを折りたためるようにした折りたたみギターの提案が多い。
【０００３】
例えば、ネックをボディの裏側に折りたたむことができる折りたたみギターが知られている（特許文献１、２参照）。しかし、これらの折りたたみギターでは、ヘッドと一体となっているネックを、弦に負荷を与えずボディの裏側（弦の張られていない側、以下、弦の張られている側を表側、張られていない側を裏側とする。）に折りたたむために、ボディをネックの長さ方向に縮小させることができるようボディに複雑な伸縮機構を設ける必要が生じたり（特許文献１参照）、折りたたむ際に、ネック方向に引き寄せられる弦の動きに追随させるべくブリッジに複雑な連動スライド機構を設ける必要が生じたりする（特許文献２参照）。
【先行技術文献】
【特許文献】
【０００４】
【特許文献１】特開２００７−１９３２８５号公報
【特許文献２】特開２０１０−１２２５８０号公報
【考案の概要】
【考案が解決しようとする課題】
【０００５】
この考案の目的は、ギターに用いられる一般的な部品をボディに設けることで、ネックとヘッドの分離を容易にし、複雑な機構を有さない安価な折りたたみギターを提供することにある。
【課題を解決するための手段】
【０００６】
（請求項１の手段）
請求項１の手段によれば、折りたたみギターは、ヘッド、ネック、ボディおよびヘッドとボディの間に張られた弦とを備え、ネックとボディがヒンジを介して折りたたみ自在に接続されている。この折りたたみギターは、ヘッドが、ネックから着脱自在であり、ボディが、弦の弛張を調整できるビブラートユニット及び、ネックから分離したヘッドを収納するヘッド収納部を有している。
【０００７】
これにより、ボディに設けられたビブラートユニットをアームダウンさせることにより、弦を弛めることができ、ヘッドをネックから容易に分離させることができる。また、ネックから取り外されたヘッドは、ネックと比較して嵩張らないため、ボディに設けられたヘッド収納部に弦を接続したまま容易に収納でき、ボディと一体となる。更に、ヘッドを取り外したネックと、ヘッドが収納されたボディとを折りたたむことにより、全体のサイズを小さくすることができ運搬や収納に利するようになる。
【０００８】
ここで、ビブラートユニットは、エレキギターに一般的に用いられている部品であり、安価に調達できるものである。よって、ボディにビブラートユニットを設けることは大きなコストアップとなるものではない。
なお、上記においては、ヘッドをネックから分離させる際にビブラートユニットをアームダウンさせて弦を弛めているが、ヘッドとネックを接続させる際においてもビブラートユニットをアームダウンさせて弦を弛めて行うことは当然である。
【０００９】
（請求項２の手段）
請求項２の手段によれば、ヘッドは、矩形型の基部、並びに基部の長手方向端において対向する短壁およびネックの端部に設けられた受部材と嵌合的に接続される長壁を有する断面略ユ字型のヘッド基部と、短壁に存し基部の短手方向に等間隔に配列された複数個の貫通穴Ａを挿通する調整ボルトと、短壁に存し貫通穴Ａのそれぞれに等間隔に基部側に設けられた複数個の貫通穴Ｂを挿通し、貫通穴Ｂに対向する長壁に設けられたネジ穴Ｂに螺合するガイドボルトとを備える。
更にヘッドは、矩形体の長手方向に沿って、調整ボルトと螺合するネジ穴Ａと、ガイドボルトの挿通する貫通穴Ｃとが配設され、矩形体の長手方向の反基部面側に設けられた弦固定部とを有する弦調整コマと、調整ボルトが挿通し、短壁と弦調整コマの間に存し、弦調整コマを長壁側へと押圧する押圧バネとを備える。
【００１０】
これにより、調整ボルトの締緩によりネジ穴Ａを介して調整ボルトに螺合している弦調整コマの位置が調整でき、弦の弛張を調整できる。すなわち、請求項２の手段によれば、一般的なペグに相当する弦調整機構をヘッドの幅方向に一列に並べることができ、ヘッドの長さ方向のサイズを大幅に減らすことができる。また、弦調整コマに存する貫通穴Ｃを挿通するガイドボルトにより、弦調整コマにおける微小な調整ボルトの周方向の変位も防止でき、ヘッドをネックから着脱する際のチューニングずれを防ぐことができる。
また、対称性の高いヘッドの構成を採用することで、ボディに設けられたヘッド収納部へのネックから分離したヘッドの設置の自由度が高まり、設計の自由度を高めることができる。
ここで、調整ボルトはフローティング構造であるが、押圧バネにより長壁側に押圧される弦調整コマを介して、弦調整コマと共に長壁側に押圧されているため、長壁側に押し付けられ固定されている。
【００１１】
（請求項３の手段）
請求項３の手段によれば、ヘッドは、弦を支持するナットを備え、ネックは、追加ネックを継ぎ足すことにより長さを延長することができる。
【００１２】
これにより、ネックは、運搬や収納に優れた短い形態から演奏に優れた長い形態までネックを付け替えることなく、追加ネックを継ぎ足すことで対応することができる。また、ナットをヘッドに設けているため、追加ネックを継ぎ足すだけでネックの短い形態からネックの長い形態にネックを変更できる。
なお、ヘッドの長壁およびネックの端部に設けられた受部材を積極的に利用することにより（例えば、追加ネックの一端に長壁と同一形状の部材、他端に受部材と同一形状の部材を用いることにより）、追加ネックを嵌合的に継ぎ足すことができる。
【図面の簡単な説明】
【００１３】
【図１】折りたたみギター全体の斜視図である（実施例１）。
【図２】折りたたみギターのヘッド斜視図である（実施例１）。
【図３】折りたたみギターのヘッド側面図（実施例１）。
【図４】折りたたみギターのヘッド収納時のボディ裏面図（実施例１）。
【図５】折りたたみギターのヘッドおよびネック側面図（（ａ）追加ネックなし、（ｂ）追加ネックあり）（実施例２）。
【考案を実施するための形態】
【００１４】
実施形態１の折りたたみギターは練習用のギターであり大音量を出すことを前提としておらず、ヘッド、ネック、ボディおよびヘッドとボディの間に張られた弦とを備え、ネックとボディがヒンジを介して折りたたみ自在に接続されている折りたたみギターである。この折りたたみギターのヘッドは、ネックから着脱自在であり、ボディは、弦の弛張を調整できるビブラートユニット及び、ネックから分離したヘッドを収納するヘッド収納部を備えている。
【００１５】
また、実施形態１に係る折りたたみギターのヘッドは、矩形型の基部、並びに基部の長手方向端において対向する短壁および長壁を有する断面略ユ字型のヘッド基部と、短壁に基部の短手方向に沿って等間隔に配設された複数個の貫通穴Ａを挿通する調整ボルトと、貫通穴Ａのそれぞれと等間隔を隔て、短壁の基部側に設けられた複数個の貫通穴Ｂを挿通し、貫通穴Ｂに対向する長壁に配設されたネジ穴Ｂに螺合するガイドボルトとを備えている。
更に、矩形体から成り、矩形体の長手方向に沿って、調整ボルトと螺合するネジ穴Ａと、ガイドボルトが挿通する貫通穴Ｃとが配設され、矩形体の長手方向の反基部面に設けられた弦固定部とを備える弦調整コマと、調整ボルトが挿通し、短壁と弦調整コマの間に存し、弦調整コマを長壁側へと押圧する押圧バネとを備えている。
【００１６】
実施形態２の折りたたみギターに係るヘッドは、弦を支持するナットを備え、ネックは、追加ネックを継ぎ足すことでその長さを延長することができる。
【実施例】
【００１７】
［実施例１の折りたたみギター］
実施例１の折りたたみギターを図１〜図４に基づいて説明する。
この折りたたみギターは、ヘッド１、ネック２、ボディ３およびヘッド１とボディ３の間に張られた弦４とを備える。ネック２とボディ３はネック２の後端部およびボディ３の先端部においてヒンジ５を介して、折りたたみ自在に接続されている。
【００１８】
また、実施例１に係る折りたたみギターのヘッド１は、矩形型の基部６、並びに基部６の長手方向端において対向する短壁７および長壁８を有する断面略ユ字型のヘッド基部９と、短壁７に基部６の短手方向に沿って等間隔に配設された６個の貫通穴Ａ１０を挿通する調整ボルト１１と、貫通穴Ａ１０のそれぞれと等間隔を隔て、短壁７の基部６側に設けられた６個の貫通穴Ｂ１２を挿通し、貫通穴Ｂ１２に対向する長壁８に配設されたネジ穴Ｂ１３に螺合するガイドボルト１４とを備えている。
【００１９】
更に、矩形体１５から成り、矩形体１５の長手方向に沿って、調整ボルト１１と螺合するネジ穴Ａ１６と、ガイドボルト１４が挿通する貫通穴Ｃ１７とが配設され、矩形体１５の長手方向の反基部面側に設けられた弦固定部１８とを備える弦調整コマ１９と、調整ボルト１１が挿通し、短壁７と弦調整コマ１９の間に存し、弦調整コマ１９を長壁８側へと押圧する押圧バネ２０とを備えている。あわせて、長壁８の反基部側の端部には、弦４を支持するナット２１を備えている。
ヘッド１は、長壁８がネック２の先端部に設けられた受部材２２と嵌合的に接続されており、ネック２の先端部から着脱自在である。
ネック２先端部に設けられた受部材２２は、長壁８と略同一形状の長板部材２４と、ヘッド基部９の反解放面側に存する長壁８の一部と略同一形状の短板部材２５と、ネック２の厚さ方向における長板部材２４の端部と短板部材２５の端部とを接続する長壁８の厚みと略同一長の接続部材２６から成る。
【００２０】
ボディ３は、矩形型の基部３０、並びに基部３０の短手方向端において対向する壁３１を有し、断面略コ字型であり解放面を裏側とするボディ基部３２と、基部３０の長手方向に沿ったボディ基部３２の後端部において接続された周知の構成のビブラートユニット３３とを備えている。
ここで、基部３０の長手方向、短手方向の大きさは、基部６の長手方向、短手方向の大きさに略等しくなっている。
【００２１】
ボディ３とネック２は、ボディ３の先端部（ボディ基部３０の先端部）とネック２の後端部がヒンジ５を介してネック２をボディ３の裏側に折りたためるように接続されており、ネック２から分離したヘッド１はボディ３の裏側に設けられたヘッド収納部３５に基部３０と基部６とが対向するように、弦４が接続されたまま嵌合的に収納される。本実施例においては、ヘッド１の裏側及び先端部が、ボディ３の裏側及び先端部と一致する配置でヘッド１がボディ３に収納されている。
【００２２】
［実施例１の作用効果］
実施例１の折りたたみギターによれば、ボディ３に設けられたビブラートユニット３３をアームダウンさせることにより、弦４を緩めることができ、ヘッド１をネック２から容易に分離させることができる。また、ネック２から取り外されたヘッド１は、ネック２と異なり弦４が接続された状態であっても嵩張らないため、ボディ３に設けられたヘッド収納部３５に弦４が接続されたまま容易に収納でき、ボディ３と一体となる。更に、ヘッド１が取り外されたネック２とヘッド１が収納されたボディ３とを折りたたむことにより、全体のサイズを小さくすることができ運搬や収納に利するようになる。
【００２３】
［実施例２の折りたたみギター］
実施例２の折りたたみギターを図５に基づいて説明する。
この折りたたみギターは、追加ネック４０をネック２の先端部に嵌合的に追加することにより（図５（ｂ）参照）、ネック全体の長さを長くすることができる。なお、追加ネック４０には先端部に受部材２２と同一形状の部材、後端部には長壁８と同一形状の部材が配設されており、これら部材と長壁８及び受部材２２とが嵌合的に接続されることとなる。この際、ネックの長さに合わせ、必然的に弦４の長さを調整しなければならない。
【００２４】
［実施例２の作用効果］
実施例２の折りたたみギターによれば、ネックは、運搬や収納に優れた短い形態から演奏に優れた長い形態まで対応することができる。また、ナット２１をヘッド１に設けているため、追加ネック４０を継ぎ足すだけでネックの短い形態から長い形態にネックの長さを変更できる。
【００２５】
［変形例］
本発明は、その要旨を逸脱しない範囲で様々な変形例を考えることができる。
例えば、実施例１、２によれば、折りたたみギターは練習用のギターであって弦の振動を共鳴させるサウンドホールや、弦の振動を電気信号に変換させるピックアップや電気信号増幅させるアンプユニット等を備えていないが、これらの機構を備えるものであっても、もちろん構わない。
また、実施例１、２によれば、ネック２は、ボディ３の裏側に折りたためるものであったが、ボディ３の表側に折りたためるものであっても構わない。
【００２６】
また、ヘッド１の構成も実施例１、２の形態に拘るものではない。更に、ヘッド１およびネック２との嵌合的接続形態も実施例１、２の形態に拘るものではなく、ヘッド収納部３５の形態もこの形態に拘るものではない。
【符号の説明】
【００２７】
１      ヘッド
２      ネック
３      ボディ
４      弦
５      ヒンジ
６      基部
７      短壁
８      長壁
９      ヘッド基部
１０      貫通穴Ａ
１１      調整ボルト
１２      貫通穴Ｂ
１３      ネジ穴Ｂ
１４      ガイドボルト
１５      矩形体
１６      ネジ穴Ａ
１７      貫通穴Ｃ
１８      弦固定部
１９      弦調整コマ
２０      押圧バネ
２２      受部材
３３      ビブラートユニット
３５      ヘッド収納部
４０      追加ネック
【図１】
0003174638.tif 000003
【図２】
0003174638.tif 000004
【図３】
0003174638.tif 000005
【図４】
0003174638.tif 000006
【図５】
0003174638.tif 000007